(57)【要約】      （修正有）【課題】前面パネルが落下したときに、前面パネルの角部の周辺で割れが生じるのを抑制する。【解決手段】空気調和機である空気清浄機が、空気調和を行う本体と、本体の前面に着脱可能に取り付けられる樹脂製の前面パネル３０とを備える。前面パネル３０は、前面部３１と前面部３１の角部に形成されて前面パネル３０の落下衝撃を吸収する凹部６１，６２とを有する。【選択図】図４
2018035968.tif 000002
【特許請求の範囲】
【請求項１】
空気調和を行う本体（２０）と、
前記本体の前面に着脱可能に取り付けられる樹脂製の前面パネル（３０）と、
を備え、
前記前面パネルは、前面部（３１）と前記前面部の角部（５１，５２）に形成されて前記前面パネルの落下衝撃を吸収する凹部（６１，６２）とを有する、空気調和機。
【請求項２】
前記前面パネルは、前記前面部の角部から後方に延びる境界曲面部（３６，３７）と、前記境界曲面部に接する第１側面部（３２）及び第２側面部（３４，３５）とをさらに有し、前記境界曲面部の一部、前記第１側面部の一部及び前記第２側面部の一部が前記凹部を形成する壁になっている、
請求項１に記載の空気調和機。
【請求項３】
前記前面パネルは、前記境界曲面部、前記第１側面部及び前記第２側面部の厚みが１ｍｍ以上５ｍｍ以下の範囲にあるときに前記凹部の深さが２ｍｍ以上に設定されている、
請求項２に記載の空気調和機。
【請求項４】
前記前面パネルは、前記境界曲面部の長手方向に垂直な前記境界曲面部の断面形状の曲率半径が４ｍｍ以下である、
請求項３に記載の空気調和機。
【請求項５】
前記前面パネルの前記前面部に取り付けられて前記凹部を覆う化粧樹脂パネル（８０）をさらに備え、
前記化粧樹脂パネルは、前記凹部の前記壁を形成する前記境界曲面部の一部、前記第１側面部の一部及び前記第２側面部の一部から離して取り付けられている、
請求項２から４のいずれか一項に記載の空気調和機。
【発明の詳細な説明】
【技術分野】
【０００１】
本発明は、空気調和機、特に、前面パネルを取り外したり取り付けたりすることのできる空気調和機に関する。
【背景技術】
【０００２】
従来から、空気調和機の中には、特許文献１（特開２０１２−２４７１４号公報）に記載されているように、前面パネルが着脱可能に構成されているものがある。空気調和機のメンテナンス時などに前面パネルを取り外すと、前面パネルのみが取り扱い中に落下して、前面パネルの落下衝撃で前面パネルに割れが生じることがある。そこで、一般的に、前面パネルについては、人が通常前面パネルを取り扱う程度の高さから落下しても割れが生じ難いように設計される。
【発明の概要】
【発明が解決しようとする課題】
【０００３】
しかしながら、前面パネルは、空気調和機の中でもデザイン的に最も重要な位置である前面に配置される。デザインを重視した場合には、前面パネルが落下衝撃で割れを生じ易い形状になることがある。特に、前面パネルの角部は落下時に床などに衝突しやすく、割れを生じ易い部分である。角部の境界部分の曲率半径が大きなデザインの前面パネル、例えば、特許文献１に記載されている前面パネルでは割れが生じにくいが、角部の曲率半径を小さく設計すると前面パネルの角部で割れが発生し易くなる。
【０００４】
本発明の課題は、前面パネルが落下したときに、前面パネルの角部の周辺で割れが生じるのを抑制することである。
【課題を解決するための手段】
【０００５】
本発明の第１観点に係る空気調和機は、空気調和を行う本体と、本体の前面に着脱可能に取り付けられる樹脂製の前面パネルと、を備え、前面パネルは、前面部と前面部の角部に形成されて前面パネルの落下衝撃を吸収する凹部とを有する。
【０００６】
第１観点に係る空気調和機によれば、前面パネルの落下衝撃を吸収する凹部が前面パネルの角部に設けられていることから、前面パネルが落下したときに凹部の周囲で落下衝撃を吸収できる。
【０００７】
本発明の第２観点に係る空気調和機は、第１観点に係る空気調和機において、前面パネルは、前面部の角部から後方に延びる境界曲面部と、境界曲面部に接する第１側面部及び第２側面部とをさらに有し、境界曲面部の一部、第１側面部の一部及び第２側面部の一部が凹部を形成する壁になっている、ものである。
【０００８】
第２観点に係る空気調和機によれば、境界曲面部の一部、第１側面部の一部及び第２側面部の一部が凹部を形成する壁であることから、境界曲面部の一部、第１側面部の一部又は第２側面部の一部に落下衝撃を受けたときにその衝撃を受けた凹部の壁が撓んで衝撃を緩和することができる。
【０００９】
本発明の第３観点に係る空気調和機は、第２観点に係る空気調和機において、前面パネルは、境界曲面部、第１側面部及び第２側面部の厚みが１ｍｍ以上５ｍｍ以下の範囲にあるときに凹部の深さが２ｍｍ以上に設定されている、ものである。
【００１０】
第３観点に係る空気調和機によれば、境界曲面部、第１側面部及び第２側面部の厚みが１ｍｍ以上５ｍｍ以下の範囲にあるときに凹部の深さが２ｍｍ以上あることによって、凹部の壁の深さ方向の長さを十分に確保でき、前面パネルの落下衝撃に対して境界曲面部、第１側面部又は第２側面部を十分に撓ませることができる。
【００１１】
本発明の第４観点に係る空気調和機は、第３観点に係る空気調和機において、前面パネルは、境界曲面部の長手方向に垂直な境界曲面部の断面形状の曲率半径が４ｍｍ以下である、ものである。
【００１２】
第４観点に係る空気調和機によれば、境界曲面部の長手方向に垂直な境界曲面部の断面形状の曲率半径が４ｍｍ以下であることによって角張ったシャープな輪郭を持たせることができるとともに、曲率半径が４ｍｍ以下でも凹部により境界曲面部での落下衝撃に対する割れの発生を抑制できる。
【００１３】
本発明の第５観点に係る空気調和機は、第２観点から第４観点のいずれかに係る空気調和機において、前面パネルの前面部に取り付けられて凹部を覆う化粧樹脂パネルをさらに備え、化粧樹脂パネルは、凹部の壁を形成する境界曲面部の一部、第１側面部の一部及び第２側面部の一部から離して取り付けられているものである。
【００１４】
第５観点に係る空気調和機によれば、化粧樹脂パネルが凹部の壁を形成する境界曲面部の一部、第１側面部の一部及び第２側面部の一部から離れているので、境界曲面部の一部、第１側面部の一部又は第２側面部の一部が撓むのを化粧樹脂パネルによって妨げられることがなく、落下衝撃による割れの発生を抑制する機能が化粧樹脂パネルの取り付けによって低下するのを防止することができる。また、この化粧樹脂パネルによって凹部を覆うことによって凹部が目立つのを防ぐことができる。
【発明の効果】
【００１５】
本発明の第１観点に係る空気調和機では、前面パネルが落下したときに、前面パネルの角部の周辺で割れが生じるのを抑制することができる。
【００１６】
本発明の第２観点に係る空気調和機では、凹部の壁が落下衝撃を緩和して、角部の周辺で割れが生じるのを抑制することができる。
【００１７】
本発明の第３観点に係る空気調和機では、境界曲面部、第１側面部又は第２側面部を十分に撓ませて割れを十分に抑制することができる。
【００１８】
本発明の第４観点に係る空気調和機では、角張った外観を持たせつつ角部の周辺で割れが生じるのを抑制することができる。
【００１９】
本発明の第５観点に係る空気調和機では、前面パネルの角部の周辺で割れが生じるのを抑制する効果を維持させながら、化粧樹脂パネルによって凹部が目立つのを防ぐことができる。
【図面の簡単な説明】
【００２０】
【図１】実施形態に係る空気清浄機の一例を示す斜視図。
【図２】前面パネルと化粧樹脂パネルの斜視図。
【図３】図２に示された前面パネルの右上部を拡大した拡大斜視図。
【図４】前面パネルの正面図。
【図５】前面パネルの左側面図。
【図６】前面パネルの平面図。
【図７】前面パネルの底面図。
【図８】前面パネルの背面図。
【図９】図８のＩ−Ｉ線に沿って切断した前面パネルの断面図。
【図１０】図８のＩＩ−ＩＩ線に沿って切断した前面パネルの断面図。
【図１１】図８のＩＩＩ−ＩＩＩ線に沿って切断した前面パネルの断面図。
【図１２】図１１に示されている箇所の前面パネルと化粧樹脂パネルの断面図。
【発明を実施するための形態】
【００２１】
（１）全体構成
以下、発明の一実施形態に係る空気調和機として、図１に示されている床置き型の空気清浄機１０を例に挙げて説明する。ただし、本発明が適用できる空気調和機は、空気清浄機１０に限られるものではなく、例えば冷房及び／又は暖房を行う室内機と室外機とを備えるペア型の空気調和機の室内機に適用することもできる。空気清浄機１０は、実質的に直方体形状を呈する本体２０と、本体２０の前側に取り付けられる前面パネル３０と、前面パネル３０の前側上部に取り付けられている化粧樹脂パネル８０を備えている。本体２０は、空気調和として塵埃などを除去する空気清浄を行い、さらには加湿及び／又は除湿を行う場合もある。空気清浄を行うために、空気清浄機１０の本体２０の中には塵埃を除去するためのエアフィルタ（図示せず）が設置されている。本体２０には、空調対象空間である室内から空気を吸い込む吸込口２１，２２と、室内に対して空気を吹き出す吹出口２３が設けられている。また、吹出口２３には、風向を調整するための可動フラップ２４が設けられている。吸込口２１は、本体２０の右側面及び左側面に設けられており、吸込口２２は、本体２０の前側下部に設けられている。吸込口２１，２２から本体２０の内部に吸い込まれた空気がエアフィルタを通過して吹出口２３から吹き出される。吸込口２１，２２から空気を吸い込んで吹出口２３から調和空気を吹き出させるために、本体２０の内部にファン（図示せず）が設置されている。
【００２２】
（２）詳細構成
（２−１）前面パネル３０
図２には前面パネル３０を斜め上方から見た状態が示され、図３には図２に示された前面パネルの一部の領域Ａｒが拡大して示されている。図２乃至図１１に前面パネル３０が示され、前から見た状態が図４に、左から見た状態が図５に示され、上方から見た状態が図６に、下方から見た状態が図７に、後ろから見た状態が図８に示されている。図４乃至図８においては、化粧樹脂パネル８０が貼り付けられる前の状態の前面パネル３０が示されている。また、図８のＩ−Ｉ線に沿った断面が図９に示され、図８のＩＩ−ＩＩ線に沿った断面が図１０に示され、図８のＩＩＩ−ＩＩＩに沿った断面が図１１に示されている。ここでの説明において、空気清浄機１０の前後（正面方向と背面方向）、左右及び上下は、図１の矢印で示されている方向をいうものとする。
【００２３】
前面パネル３０は、前面部３１と上側面部３２と下側面部３３と右側面部３４と左側面部３５とが一体的に成形されてなる。前面パネル３０は樹脂製である。前面パネル３０に用いられる樹脂としては、例えば熱可塑性樹脂があり、熱可塑性樹脂としては例えば耐衝撃性ポリエチレン（ＨＩＰＳ：High Impact Polystyrene）又はアクリロニトリル・ブタジエン・スチレン樹脂（ＡＢＳ樹脂）がある。前面パネル３０は、例えば射出成形により成形され、前面部３１と上側面部３２と下側面部３３と右側面部３４と左側面部３５とが同時に成形される。
【００２４】
前面部３１と上側面部３２と下側面部３３と右側面部３４と左側面部３５は、板状であり、前面部３１と上側面部３２と下側面部３３と右側面部３４と左側面部３５の板厚は、１〜５ｍｍの範囲内で適切な値に設定されている。前面部３１と上側面部３２と下側面部３３と右側面部３４と左側面部３５の板厚は例えば全て同じに設定され、例えば２ｍｍである。
【００２５】
前面パネル３０は、本体２０に前面パネル３０を固定するために、本体２０の上面に引っ掛ける突起７１が上側面部３２の下面３２ａから下方に突出している。また、本体２０に前面パネル３０を固定するために、右側面部３４と左側面部３５の下方にロック機構７４，７５がそれぞれ設けられている。上側面部３２の突起７１を本体２０の上面に引っ掛け、前面パネル３０の下方を本体２０の側に押し込むことにより、前面パネル３０の下方がロック機構７４，７５でロックされて前面パネル３０が固定される。
【００２６】
前面パネル３０は、上側面部３２、下側面部３３、右側面部３４及び左側面部３５と前面部３１とは接続部４０で接続されている。接続部４０は、例えば、上側面部３２及び前面部３１に垂直な平面で切断したときの断面が、例えば３ｍｍ以上８ｍｍ以下の半径を有する円弧状の形状を呈する。前面パネル３０は、上側面部３２と右側面部３４とが境界曲面部３６で接続され、上側面部３２と右側面部３４とが境界曲面部３７で接続され、下側面部３３と右側面部３４とが境界曲面部３８で接続され、下側面部３３と左側面部３５とが境界曲面部３９で接続されている。これら境界曲面部３６〜３９は、前面部３１に略平行な平面で切断したときの形状が円弧状になっている。境界曲面部３６〜３９の半径は、例えば４ｍｍ以下に設定されている。例えば、この境界曲面部３６〜３９の半径は約３ｍｍである。その結果、前面パネル３０は、上側面部３２と右側面部３４、上側面部３２と右側面部３４、下側面部３３と右側面部３４、下側面部３３と左側面部３５の境界がはっきりとしたシャープな輪郭を呈する。しかし、境界曲面部３６，３７の曲率半径が小さくなると曲率半径が大きい場合に比べて、右側上部の角部５１及び左側上部の角部５１が落下したときに床面に衝突すると角部５１，５２の周辺で割れが生じ易くなる。そこで、角部５１，５２に凹部６１，６２が形成されている。
【００２７】
これら凹部６１，６２は、前面部３１の左右方向の中央において上下に延びる前面部３１に垂直な平面に対して互いに面対称に形成されている。以下においては、凹部６１の形状について詳細に説明し、凹部６１と面対称な凹部６２の形状についての詳しい説明を省略する。凹部６１は、図１１に示されているように、深さＤｐ１が２ｍｍ以上あり、３ｍｍ以上であることが好ましい。前面部３１の角部５１からは境界曲面部３６が後方に延びている。この角部５１においては、境界曲面部３６に接する第１側面部が上側面部３２であり、境界曲面部３６に接する第２側面部が右側面部３４である。なお、角部５２からは境界曲面部３７が後方に延びている。この角部５２においては、境界曲面部３７に接する第１側面部が上側面部３２であり、境界曲面部３７に接する第２側面部が左側面部３５である。
【００２８】
図１１に示されているように、凹部６１の深さＤｐ１は、境界曲面部３６の前端部３６ａから後部に向かって、２ｍｍの範囲には前面部３１の支持が無いことを意味する。前面部３１に支持されない２ｍｍの境界曲面部３６は、上側面部３２及び右側面部３４によってのみ支えられているから、凹部６１の周囲の境界曲面部３６、上側面部３２及び右側面部３４が構成する凹部６１の壁は、境界曲面部３６の一部、上側面部３２の一部及び右側面部３４の一部に落下衝撃を受けたときに、従来のように前面部３１に前端部３６ａなどで接続されている場合に比べて撓みやすくなっている。樹脂でできている凹部６１のこれらの壁は、撓みによる変形が樹脂の弾性変形であれば衝撃がなくなると元に戻る。その結果、凹部６１のこれらの壁によって角部５１の周辺、特に境界曲面部３６の前端部３６ａの周辺が床面に衝突した時に凹部６１の壁が撓んで落下衝撃を吸収することができ且つ角部５１の周辺の外観を衝突前の状態に維持することができる。凹部６１の深さＤｐ１が２ｍｍより浅いと凹部６１の壁が撓みにくくなる。
【００２９】
（２−２）化粧樹脂パネル
前面パネル３０には、前面パネル３０の上部に表示用の複数の開口部４５が設けられている。これら開口部４５から内部に塵埃や水などが入らないように、透明な化粧樹脂パネル８０がこれら開口部４５を覆うように前面パネル３０の上部に取り付けられている。透明な化粧樹脂パネル８０は、透明な樹脂からなる例えば厚さ２ｍｍ以上５ｍｍ以下の板状の部材である。前面パネル３０には、化粧樹脂パネル８０を取り付けるための段差４６が設けられている（図５参照）。
【００３０】
図１２には、図１１に示されている箇所の前面パネル３０と化粧樹脂パネル８０との関係が示されている。化粧樹脂パネル８０は、例えば接着剤又は粘着剤で前面パネル３０の前面部３１の前側に貼着される。しかし、化粧樹脂パネル８０は、図１２に示されているように、境界曲面部３６うちの凹部６１の壁を形成する部分には接続されない。境界曲面部３６うちの凹部６１の壁を形成する部分を言い換えると、凹部６１の壁を形成する境界曲面部３６の一部ということになる。例えば、化粧樹脂パネル８０が境界曲面部３６の前端部３６ａに接続されていると、角部５１の周辺が床面に衝突したときの落下衝撃が化粧樹脂パネル８０に伝わるため、化粧樹脂パネル８０に割れや白化が生じたり、化粧樹脂パネル８０から前面パネル３０の衝撃が伝播して前面パネル３０に割れが生じたりする場合がある。ここで白化とは、樹脂が白く変色することをいう。従って、化粧樹脂パネル８０が凹部６１の壁を形成する境界曲面部３６の一部から離して取り付けられていることで、化粧樹脂パネル８０及び前面パネル３０の割れや白化を防止することができる。同様に、化粧樹脂パネル８０は、上側面部３２うちの凹部６１の壁を形成する部分及び右側面部３４うちの凹部６１の壁を形成する部分には接続されない。言い換えると、凹部６１の壁を形成する上側面部３２の一部及び右側面部３４の一部に化粧樹脂パネル８０は貼着されない。
【００３１】
（３）特徴
（３−１）
以上説明したように空気調和機である空気清浄機１０は、空気調和を行う本体２０と、本体２０の前面に着脱可能に取り付けられる樹脂製の前面パネル３０とを備えている。前面パネル３０は、前面部３１の角部５１，５２に形成されて前面パネルの落下衝撃を吸収する凹部６１，６２を有する。前面パネル３０の落下衝撃を吸収する凹部６１，６２が前面パネル３０の角部５１，５２に設けられていることから、前面パネル３０が落下したときに凹部６１，６２の周囲で落下衝撃を吸収できる。その結果、前面パネル３０が落下したときに、前面パネル３０の角部５１，５２の周辺で割れが生じるのを抑制することができる。
【００３２】
（３−２）
前面パネル３０は、前面部３１の角部５１，５２から後方に延びる境界曲面部３６，３７を有している。前面パネル３０が有する境界曲面部に接する第１側面部及び第２側面部は、角部５１においては境界曲面部３６に接する上側面部３２と右側面部３４であり、角部５２においては境界曲面部３７に接する上側面部３２と左側面部３５である。角部５１においては、境界曲面部３６の一部、上側面部３２の一部及び右側面部３４の一部が、凹部６１の壁を構成する。また、角部５２においては、境界曲面部３７の一部、上側面部３２の一部及び左側面部３５の一部が、凹部６２の壁を構成する。これらのことから、境界曲面部３６，３７の一部、上側面部３２の一部、又は右側面部３４及び左側面部３５の一部に落下衝撃を受けたときにその衝撃を受けた凹部６１，６２の壁が撓んで衝撃を緩和して角部５１，５２の周辺で割れが生じるのを抑制することができる。
【００３３】
（３−３）
上記実施形態の前面パネル３０では、境界曲面部３６，３７、上側面部３２並びに右側面部３４及び左側面部３５の厚みが１ｍｍ以上５ｍｍ以下の範囲にあるときに凹部６１，６２の深さが２ｍｍ以上あることによって、凹部６１，６２の壁の深さ方向の長さを十分に確保できるから、前面パネル３０の落下衝撃に対して境界曲面部３６，３７、上側面部３２又は右側面部３４若しくは左側面部３５十分に撓ませて割れを十分に抑制することができる。
【００３４】
（３−４）
境界曲面部３６，３７の長手方向（上記実施形態では、前後方向）に垂直な境界曲面部３６，３７の断面形状が円弧状であり、その半径が４ｍｍ以下である。上記実施形態では、前面部３１に平行な平面によって切断した境界曲面部３６，３７の断面形状が円弧状である。従って、境界曲面部３６，３７の曲率半径が４ｍｍ以下になっており、このような形状により角張ったシャープな輪郭を持たせることができている。しかもに、曲率半径が４ｍｍ以下でも凹部６１，６２により境界曲面部３６，３７での落下衝撃に対する割れの発生が抑制できている。なお、境界曲面部３６，３７の断面形状が円弧状でない曲率半径４ｍｍ以下の形状であっても同様の効果を奏する。
【００３５】
（３−５）
化粧樹脂パネル８０が凹部６１，６２の壁を形成する境界曲面部３６，３７、上側面部３２の一部並びに右側面部３４の一部及び左側面部３５の一部から離れているので、境界曲面部３６，３７、上側面部３２の一部並びに右側面部３４の一部及び左側面部３５の一部が撓むのを化粧樹脂パネル８０によって妨げられることがない。また、この化粧樹脂パネル８０によって凹部６１，６２を覆うことによって凹部６１，６２が目立つのを防いでいる。その結果、落下衝撃による割れの発生を抑制する機能が化粧樹脂パネル８０の取り付けによって低下するのを防止して前面パネル３０の角部５１，５２の周辺で割れが生じるのを抑制する効果を維持させながら、化粧樹脂パネル８０によって凹部６１，６２が目立つのを防ぐことができている。
【００３６】
（４）変形例
（４−１）変形例１Ａ
上述の空気清浄機１０の前面パネル３０では、前面パネル３０の上部の角部５１，５２に凹部６１，６２が形成される場合について説明したが、前面パネル３０の下部の角部にも凹部が形成されてもよい。
【００３７】
（４−２）変形例１Ｂ
上述の凹部６１，６２は、正面から見たときに三角形の形状を呈するが、凹部６１，６２を正面から見たときの形状は三角形に限られるものではない。凹部６１，６２を正面から見たときの形状は、例えば、扇形や四角形でもよい。
【００３８】
（４−３）変形例１Ｃ
上述の化粧樹脂パネル８０は、透明である場合を例に挙げて説明したが、透明である場合に限られず、例えば、半透明でもよく、凹部６１，６２を隠すだけならば不透明であってもよく、また一部が透明又は半透明で他の部分が不透明であるような部材でもよい。
【符号の説明】
【００３９】
１０  空気清浄機（空気調和機の例）
２０  本体
３０  前面パネル
３１  前面部
３２  上側面部（第１側面部の例）
３３  下側面部
３４  右側面部（第２側面部の例）
３５  左側面部（第２側面部の例）
３６〜３９  境界曲面部
５１，５２  角部
６１，６２  凹部
８０  化粧樹脂パネル
【先行技術文献】
【特許文献】
【００４０】
【特許文献１】特開２０１２−２４７１４号公報
【図１】
2018035968.tif 000003
【図２】
2018035968.tif 000004
【図３】
2018035968.tif 000005
【図４】
2018035968.tif 000006
【図５】
2018035968.tif 000007
【図６】
2018035968.tif 000008
【図７】
2018035968.tif 000009
【図８】
2018035968.tif 000010
【図９】
2018035968.tif 000011
【図１０】
2018035968.tif 000012
【図１１】
2018035968.tif 000013
【図１２】
2018035968.tif 000014
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
空気調和を行う本体（２０）と、
前記本体の前面に着脱可能に取り付けられる樹脂製の前面パネル（３０）と、
を備え、
前記前面パネルは、前面部（３１）と前記前面部の角部（５１，５２）に形成されている凹部（６１，６２）とを有する、空気調和機。
【請求項２】
前記前面パネルは、前記前面部の角部から後方に延びる境界曲面部（３６，３７）と、前記境界曲面部に接する第１側面部（３２）及び第２側面部（３４，３５）とをさらに有し、前記境界曲面部の一部、前記第１側面部の一部及び前記第２側面部の一部が前記凹部を形成する壁になっている、
請求項１に記載の空気調和機。
【請求項３】
前記前面パネルは、前記境界曲面部、前記第１側面部及び前記第２側面部の厚みが１ｍｍ以上５ｍｍ以下の範囲にあるときに前記凹部の深さが２ｍｍ以上に設定されている、
請求項２に記載の空気調和機。
【請求項４】
前記前面パネルは、前記境界曲面部の長手方向に垂直な前記境界曲面部の断面形状の曲率半径が４ｍｍ以下である、
請求項３に記載の空気調和機。
【請求項５】
前記前面パネルの前記前面部に取り付けられて前記凹部を覆う化粧樹脂パネル（８０）をさらに備え、
前記化粧樹脂パネルは、前記凹部の前記壁を形成する前記境界曲面部の一部、前記第１側面部の一部及び前記第２側面部の一部から離して取り付けられている、
請求項２から４のいずれか一項に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機、特に、前面パネルを取り外したり取り付けたりすることのできる空気調和機に関する。
【背景技術】
【０００２】
従来から、空気調和機の中には、特許文献１（特開２０１２−２４７１４号公報）に記載されているように、前面パネルが着脱可能に構成されているものがある。空気調和機のメンテナンス時などに前面パネルを取り外すと、前面パネルのみが取り扱い中に落下して、前面パネルの落下衝撃で前面パネルに割れが生じることがある。そこで、一般的に、前面パネルについては、人が通常前面パネルを取り扱う程度の高さから落下しても割れが生じ難いように設計される。
【発明の概要】
【発明が解決しようとする課題】
【０００３】
しかしながら、前面パネルは、空気調和機の中でもデザイン的に最も重要な位置である前面に配置される。デザインを重視した場合には、前面パネルが落下衝撃で割れを生じ易い形状になることがある。特に、前面パネルの角部は落下時に床などに衝突しやすく、割れを生じ易い部分である。角部の境界部分の曲率半径が大きなデザインの前面パネル、例えば、特許文献１に記載されている前面パネルでは割れが生じにくいが、角部の曲率半径を小さく設計すると前面パネルの角部で割れが発生し易くなる。
【０００４】
本発明の課題は、前面パネルが落下したときに、前面パネルの角部の周辺で割れが生じるのを抑制することである。
【課題を解決するための手段】
【０００５】
本発明の第１観点に係る空気調和機は、空気調和を行う本体と、本体の前面に着脱可能に取り付けられる樹脂製の前面パネルと、を備え、前面パネルは、前面部と前面部の角部に形成されている凹部とを有する。
【０００６】
第１観点に係る空気調和機によれば、凹部が前面パネルの角部に設けられていることから、前面パネルが落下したときに凹部の周囲で落下衝撃を吸収できる。
【０００７】
本発明の第２観点に係る空気調和機は、第１観点に係る空気調和機において、前面パネルは、前面部の角部から後方に延びる境界曲面部と、境界曲面部に接する第１側面部及び第２側面部とをさらに有し、境界曲面部の一部、第１側面部の一部及び第２側面部の一部が凹部を形成する壁になっている、ものである。
【０００８】
第２観点に係る空気調和機によれば、境界曲面部の一部、第１側面部の一部及び第２側面部の一部が凹部を形成する壁であることから、境界曲面部の一部、第１側面部の一部又は第２側面部の一部に落下衝撃を受けたときにその衝撃を受けた凹部の壁が撓んで衝撃を緩和することができる。
【０００９】
本発明の第３観点に係る空気調和機は、第２観点に係る空気調和機において、前面パネルは、境界曲面部、第１側面部及び第２側面部の厚みが１ｍｍ以上５ｍｍ以下の範囲にあるときに凹部の深さが２ｍｍ以上に設定されている、ものである。
【００１０】
第３観点に係る空気調和機によれば、境界曲面部、第１側面部及び第２側面部の厚みが１ｍｍ以上５ｍｍ以下の範囲にあるときに凹部の深さが２ｍｍ以上あることによって、凹部の壁の深さ方向の長さを十分に確保でき、前面パネルの落下衝撃に対して境界曲面部、第１側面部又は第２側面部を十分に撓ませることができる。
【００１１】
本発明の第４観点に係る空気調和機は、第３観点に係る空気調和機において、前面パネルは、境界曲面部の長手方向に垂直な境界曲面部の断面形状の曲率半径が４ｍｍ以下である、ものである。
【００１２】
第４観点に係る空気調和機によれば、境界曲面部の長手方向に垂直な境界曲面部の断面形状の曲率半径が４ｍｍ以下であることによって角張ったシャープな輪郭を持たせることができるとともに、曲率半径が４ｍｍ以下でも凹部により境界曲面部での落下衝撃に対する割れの発生を抑制できる。
【００１３】
本発明の第５観点に係る空気調和機は、第２観点から第４観点のいずれかに係る空気調和機において、前面パネルの前面部に取り付けられて凹部を覆う化粧樹脂パネルをさらに備え、化粧樹脂パネルは、凹部の壁を形成する境界曲面部の一部、第１側面部の一部及び第２側面部の一部から離して取り付けられているものである。
【００１４】
第５観点に係る空気調和機によれば、化粧樹脂パネルが凹部の壁を形成する境界曲面部の一部、第１側面部の一部及び第２側面部の一部から離れているので、境界曲面部の一部、第１側面部の一部又は第２側面部の一部が撓むのを化粧樹脂パネルによって妨げられることがなく、落下衝撃による割れの発生を抑制する機能が化粧樹脂パネルの取り付けによって低下するのを防止することができる。また、この化粧樹脂パネルによって凹部を覆うことによって凹部が目立つのを防ぐことができる。
【発明の効果】
【００１５】
本発明の第１観点に係る空気調和機では、前面パネルが落下したときに、前面パネルの角部の周辺で割れが生じるのを抑制することができる。
【００１６】
本発明の第２観点に係る空気調和機では、凹部の壁が落下衝撃を緩和して、角部の周辺で割れが生じるのを抑制することができる。
【００１７】
本発明の第３観点に係る空気調和機では、境界曲面部、第１側面部又は第２側面部を十分に撓ませて割れを十分に抑制することができる。
【００１８】
本発明の第４観点に係る空気調和機では、角張った外観を持たせつつ角部の周辺で割れが生じるのを抑制することができる。
【００１９】
本発明の第５観点に係る空気調和機では、前面パネルの角部の周辺で割れが生じるのを抑制する効果を維持させながら、化粧樹脂パネルによって凹部が目立つのを防ぐことができる。
【図面の簡単な説明】
【００２０】
【図１】実施形態に係る空気清浄機の一例を示す斜視図。
【図２】前面パネルと化粧樹脂パネルの斜視図。
【図３】図２に示された前面パネルの右上部を拡大した拡大斜視図。
【図４】前面パネルの正面図。
【図５】前面パネルの左側面図。
【図６】前面パネルの平面図。
【図７】前面パネルの底面図。
【図８】前面パネルの背面図。
【図９】図８のＩ−Ｉ線に沿って切断した前面パネルの断面図。
【図１０】図８のＩＩ−ＩＩ線に沿って切断した前面パネルの断面図。
【図１１】図８のＩＩＩ−ＩＩＩ線に沿って切断した前面パネルの断面図。
【図１２】図１１に示されている箇所の前面パネルと化粧樹脂パネルの断面図。
【発明を実施するための形態】
【００２１】
（１）全体構成
以下、発明の一実施形態に係る空気調和機として、図１に示されている床置き型の空気清浄機１０を例に挙げて説明する。ただし、本発明が適用できる空気調和機は、空気清浄機１０に限られるものではなく、例えば冷房及び／又は暖房を行う室内機と室外機とを備えるペア型の空気調和機の室内機に適用することもできる。空気清浄機１０は、実質的に直方体形状を呈する本体２０と、本体２０の前側に取り付けられる前面パネル３０と、前面パネル３０の前側上部に取り付けられている化粧樹脂パネル８０を備えている。本体２０は、空気調和として塵埃などを除去する空気清浄を行い、さらには加湿及び／又は除湿を行う場合もある。空気清浄を行うために、空気清浄機１０の本体２０の中には塵埃を除去するためのエアフィルタ（図示せず）が設置されている。本体２０には、空調対象空間である室内から空気を吸い込む吸込口２１，２２と、室内に対して空気を吹き出す吹出口２３が設けられている。また、吹出口２３には、風向を調整するための可動フラップ２４が設けられている。吸込口２１は、本体２０の右側面及び左側面に設けられており、吸込口２２は、本体２０の前側下部に設けられている。吸込口２１，２２から本体２０の内部に吸い込まれた空気がエアフィルタを通過して吹出口２３から吹き出される。吸込口２１，２２から空気を吸い込んで吹出口２３から調和空気を吹き出させるために、本体２０の内部にファン（図示せず）が設置されている。
【００２２】
（２）詳細構成
（２−１）前面パネル３０
図２には前面パネル３０を斜め上方から見た状態が示され、図３には図２に示された前面パネルの一部の領域Ａｒが拡大して示されている。図２乃至図１１に前面パネル３０が示され、前から見た状態が図４に、左から見た状態が図５に示され、上方から見た状態が図６に、下方から見た状態が図７に、後ろから見た状態が図８に示されている。図４乃至図８においては、化粧樹脂パネル８０が貼り付けられる前の状態の前面パネル３０が示されている。また、図８のＩ−Ｉ線に沿った断面が図９に示され、図８のＩＩ−ＩＩ線に沿った断面が図１０に示され、図８のＩＩＩ−ＩＩＩに沿った断面が図１１に示されている。ここでの説明において、空気清浄機１０の前後（正面方向と背面方向）、左右及び上下は、図１の矢印で示されている方向をいうものとする。
【００２３】
前面パネル３０は、前面部３１と上側面部３２と下側面部３３と右側面部３４と左側面部３５とが一体的に成形されてなる。前面パネル３０は樹脂製である。前面パネル３０に用いられる樹脂としては、例えば熱可塑性樹脂があり、熱可塑性樹脂としては例えば耐衝撃性ポリエチレン（ＨＩＰＳ：High Impact Polystyrene）又はアクリロニトリル・ブタジエン・スチレン樹脂（ＡＢＳ樹脂）がある。前面パネル３０は、例えば射出成形により成形され、前面部３１と上側面部３２と下側面部３３と右側面部３４と左側面部３５とが同時に成形される。
【００２４】
前面部３１と上側面部３２と下側面部３３と右側面部３４と左側面部３５は、板状であり、前面部３１と上側面部３２と下側面部３３と右側面部３４と左側面部３５の板厚は、１〜５ｍｍの範囲内で適切な値に設定されている。前面部３１と上側面部３２と下側面部３３と右側面部３４と左側面部３５の板厚は例えば全て同じに設定され、例えば２ｍｍである。
【００２５】
前面パネル３０は、本体２０に前面パネル３０を固定するために、本体２０の上面に引っ掛ける突起７１が上側面部３２の下面３２ａから下方に突出している。また、本体２０に前面パネル３０を固定するために、右側面部３４と左側面部３５の下方にロック機構７４，７５がそれぞれ設けられている。上側面部３２の突起７１を本体２０の上面に引っ掛け、前面パネル３０の下方を本体２０の側に押し込むことにより、前面パネル３０の下方がロック機構７４，７５でロックされて前面パネル３０が固定される。
【００２６】
前面パネル３０は、上側面部３２、下側面部３３、右側面部３４及び左側面部３５と前面部３１とは接続部４０で接続されている。接続部４０は、例えば、上側面部３２及び前面部３１に垂直な平面で切断したときの断面が、例えば３ｍｍ以上８ｍｍ以下の半径を有する円弧状の形状を呈する。前面パネル３０は、上側面部３２と右側面部３４とが境界曲面部３６で接続され、上側面部３２と右側面部３４とが境界曲面部３７で接続され、下側面部３３と右側面部３４とが境界曲面部３８で接続され、下側面部３３と左側面部３５とが境界曲面部３９で接続されている。これら境界曲面部３６〜３９は、前面部３１に略平行な平面で切断したときの形状が円弧状になっている。境界曲面部３６〜３９の半径は、例えば４ｍｍ以下に設定されている。例えば、この境界曲面部３６〜３９の半径は約３ｍｍである。その結果、前面パネル３０は、上側面部３２と右側面部３４、上側面部３２と右側面部３４、下側面部３３と右側面部３４、下側面部３３と左側面部３５の境界がはっきりとしたシャープな輪郭を呈する。しかし、境界曲面部３６，３７の曲率半径が小さくなると曲率半径が大きい場合に比べて、右側上部の角部５１及び左側上部の角部５１が落下したときに床面に衝突すると角部５１，５２の周辺で割れが生じ易くなる。そこで、角部５１，５２に凹部６１，６２が形成されている。
【００２７】
これら凹部６１，６２は、前面部３１の左右方向の中央において上下に延びる前面部３１に垂直な平面に対して互いに面対称に形成されている。以下においては、凹部６１の形状について詳細に説明し、凹部６１と面対称な凹部６２の形状についての詳しい説明を省略する。凹部６１は、図１１に示されているように、深さＤｐ１が２ｍｍ以上あり、３ｍｍ以上であることが好ましい。前面部３１の角部５１からは境界曲面部３６が後方に延びている。この角部５１においては、境界曲面部３６に接する第１側面部が上側面部３２であり、境界曲面部３６に接する第２側面部が右側面部３４である。なお、角部５２からは境界曲面部３７が後方に延びている。この角部５２においては、境界曲面部３７に接する第１側面部が上側面部３２であり、境界曲面部３７に接する第２側面部が左側面部３５である。
【００２８】
図１１に示されているように、凹部６１の深さＤｐ１は、境界曲面部３６の前端部３６ａから後部に向かって、２ｍｍの範囲には前面部３１の支持が無いことを意味する。前面部３１に支持されない２ｍｍの境界曲面部３６は、上側面部３２及び右側面部３４によってのみ支えられているから、凹部６１の周囲の境界曲面部３６、上側面部３２及び右側面部３４が構成する凹部６１の壁は、境界曲面部３６の一部、上側面部３２の一部及び右側面部３４の一部に落下衝撃を受けたときに、従来のように前面部３１に前端部３６ａなどで接続されている場合に比べて撓みやすくなっている。樹脂でできている凹部６１のこれらの壁は、撓みによる変形が樹脂の弾性変形であれば衝撃がなくなると元に戻る。その結果、凹部６１のこれらの壁によって角部５１の周辺、特に境界曲面部３６の前端部３６ａの周辺が床面に衝突した時に凹部６１の壁が撓んで落下衝撃を吸収することができ且つ角部５１の周辺の外観を衝突前の状態に維持することができる。凹部６１の深さＤｐ１が２ｍｍより浅いと凹部６１の壁が撓みにくくなる。
【００２９】
（２−２）化粧樹脂パネル
前面パネル３０には、前面パネル３０の上部に表示用の複数の開口部４５が設けられている。これら開口部４５から内部に塵埃や水などが入らないように、透明な化粧樹脂パネル８０がこれら開口部４５を覆うように前面パネル３０の上部に取り付けられている。透明な化粧樹脂パネル８０は、透明な樹脂からなる例えば厚さ２ｍｍ以上５ｍｍ以下の板状の部材である。前面パネル３０には、化粧樹脂パネル８０を取り付けるための段差４６が設けられている（図５参照）。
【００３０】
図１２には、図１１に示されている箇所の前面パネル３０と化粧樹脂パネル８０との関係が示されている。化粧樹脂パネル８０は、例えば接着剤又は粘着剤で前面パネル３０の前面部３１の前側に貼着される。しかし、化粧樹脂パネル８０は、図１２に示されているように、境界曲面部３６うちの凹部６１の壁を形成する部分には接続されない。境界曲面部３６うちの凹部６１の壁を形成する部分を言い換えると、凹部６１の壁を形成する境界曲面部３６の一部ということになる。例えば、化粧樹脂パネル８０が境界曲面部３６の前端部３６ａに接続されていると、角部５１の周辺が床面に衝突したときの落下衝撃が化粧樹脂パネル８０に伝わるため、化粧樹脂パネル８０に割れや白化が生じたり、化粧樹脂パネル８０から前面パネル３０の衝撃が伝播して前面パネル３０に割れが生じたりする場合がある。ここで白化とは、樹脂が白く変色することをいう。従って、化粧樹脂パネル８０が凹部６１の壁を形成する境界曲面部３６の一部から離して取り付けられていることで、化粧樹脂パネル８０及び前面パネル３０の割れや白化を防止することができる。同様に、化粧樹脂パネル８０は、上側面部３２うちの凹部６１の壁を形成する部分及び右側面部３４うちの凹部６１の壁を形成する部分には接続されない。言い換えると、凹部６１の壁を形成する上側面部３２の一部及び右側面部３４の一部に化粧樹脂パネル８０は貼着されない。
【００３１】
（３）特徴
（３−１）
以上説明したように空気調和機である空気清浄機１０は、空気調和を行う本体２０と、本体２０の前面に着脱可能に取り付けられる樹脂製の前面パネル３０とを備えている。前面パネル３０は、前面部３１の角部５１，５２に形成されて前面パネルの落下衝撃を吸収する凹部６１，６２を有する。前面パネル３０の落下衝撃を吸収する凹部６１，６２が前面パネル３０の角部５１，５２に設けられていることから、前面パネル３０が落下したときに凹部６１，６２の周囲で落下衝撃を吸収できる。その結果、前面パネル３０が落下したときに、前面パネル３０の角部５１，５２の周辺で割れが生じるのを抑制することができる。
【００３２】
（３−２）
前面パネル３０は、前面部３１の角部５１，５２から後方に延びる境界曲面部３６，３７を有している。前面パネル３０が有する境界曲面部に接する第１側面部及び第２側面部は、角部５１においては境界曲面部３６に接する上側面部３２と右側面部３４であり、角部５２においては境界曲面部３７に接する上側面部３２と左側面部３５である。角部５１においては、境界曲面部３６の一部、上側面部３２の一部及び右側面部３４の一部が、凹部６１の壁を構成する。また、角部５２においては、境界曲面部３７の一部、上側面部３２の一部及び左側面部３５の一部が、凹部６２の壁を構成する。これらのことから、境界曲面部３６，３７の一部、上側面部３２の一部、又は右側面部３４及び左側面部３５の一部に落下衝撃を受けたときにその衝撃を受けた凹部６１，６２の壁が撓んで衝撃を緩和して角部５１，５２の周辺で割れが生じるのを抑制することができる。
【００３３】
（３−３）
上記実施形態の前面パネル３０では、境界曲面部３６，３７、上側面部３２並びに右側面部３４及び左側面部３５の厚みが１ｍｍ以上５ｍｍ以下の範囲にあるときに凹部６１，６２の深さが２ｍｍ以上あることによって、凹部６１，６２の壁の深さ方向の長さを十分に確保できるから、前面パネル３０の落下衝撃に対して境界曲面部３６，３７、上側面部３２又は右側面部３４若しくは左側面部３５十分に撓ませて割れを十分に抑制することができる。
【００３４】
（３−４）
境界曲面部３６，３７の長手方向（上記実施形態では、前後方向）に垂直な境界曲面部３６，３７の断面形状が円弧状であり、その半径が４ｍｍ以下である。上記実施形態では、前面部３１に平行な平面によって切断した境界曲面部３６，３７の断面形状が円弧状である。従って、境界曲面部３６，３７の曲率半径が４ｍｍ以下になっており、このような形状により角張ったシャープな輪郭を持たせることができている。しかもに、曲率半径が４ｍｍ以下でも凹部６１，６２により境界曲面部３６，３７での落下衝撃に対する割れの発生が抑制できている。なお、境界曲面部３６，３７の断面形状が円弧状でない曲率半径４ｍｍ以下の形状であっても同様の効果を奏する。
【００３５】
（３−５）
化粧樹脂パネル８０が凹部６１，６２の壁を形成する境界曲面部３６，３７、上側面部３２の一部並びに右側面部３４の一部及び左側面部３５の一部から離れているので、境界曲面部３６，３７、上側面部３２の一部並びに右側面部３４の一部及び左側面部３５の一部が撓むのを化粧樹脂パネル８０によって妨げられることがない。また、この化粧樹脂パネル８０によって凹部６１，６２を覆うことによって凹部６１，６２が目立つのを防いでいる。その結果、落下衝撃による割れの発生を抑制する機能が化粧樹脂パネル８０の取り付けによって低下するのを防止して前面パネル３０の角部５１，５２の周辺で割れが生じるのを抑制する効果を維持させながら、化粧樹脂パネル８０によって凹部６１，６２が目立つのを防ぐことができている。
【００３６】
（４）変形例
（４−１）変形例１Ａ
上述の空気清浄機１０の前面パネル３０では、前面パネル３０の上部の角部５１，５２に凹部６１，６２が形成される場合について説明したが、前面パネル３０の下部の角部にも凹部が形成されてもよい。
【００３７】
（４−２）変形例１Ｂ
上述の凹部６１，６２は、正面から見たときに三角形の形状を呈するが、凹部６１，６２を正面から見たときの形状は三角形に限られるものではない。凹部６１，６２を正面から見たときの形状は、例えば、扇形や四角形でもよい。
【００３８】
（４−３）変形例１Ｃ
上述の化粧樹脂パネル８０は、透明である場合を例に挙げて説明したが、透明である場合に限られず、例えば、半透明でもよく、凹部６１，６２を隠すだけならば不透明であってもよく、また一部が透明又は半透明で他の部分が不透明であるような部材でもよい。
【符号の説明】
【００３９】
１０  空気清浄機（空気調和機の例）
２０  本体
３０  前面パネル
３１  前面部
３２  上側面部（第１側面部の例）
３３  下側面部
３４  右側面部（第２側面部の例）
３５  左側面部（第２側面部の例）
３６〜３９  境界曲面部
５１，５２  角部
６１，６２  凹部
８０  化粧樹脂パネル
【先行技術文献】
【特許文献】
【００４０】
【特許文献１】特開２０１２−２４７１４号公報